(57)【要約】【課題】折り畳み可能なトレッドミルを提供する。【解決手段】折り畳み可能なトレッドミルが、座席と、キャリッジが座席に対して回転されることを可能にするよう、座席に枢着車軸で枢着可能に取り付けられた前方のキャリッジを有する、２つの部分を有するトレッドベースと、トレッドミルフレームがキャリッジに対して回転され且つ折り畳まれることを可能にするよう、キャリッジに枢着可能に固定された後方のトレッドミルフレームとを含み、キャリッジは、トレッドミルフレームがキャリッジ及び座席に対して回転され且つ折り畳まれるときに、座席と折り畳み可能且つ係合可能であり、それによりトレッドミルの重心を下げ、且つトレッドミルが落ちてしまうことから防ぐ。ばねバイアス式ラッチによりトレッドミルフレームをキャリッジに、上方に直立する位置で選択的に掛け金をかけてもよい。【選択図】図１
0003125926.tif 000002
【実用新案登録請求の範囲】
【請求項１】
折り畳み可能なトレッドミルであって：
座席と、
キャリッジが座席に対して枢着車軸とともに回転されることを可能するよう、当該座席に当該枢着車軸で枢着可能に取り付けられた前記の前方のキャリッジを含み、且つトレッドミルフレームが当該キャリッジに対して回転され且つ折り畳まれることを可能にするよう、当該キャリッジに枢着可能に固定された前記の後方のトレッドミルフレームを含む、２つの部分のトレッドベースと、
を有し、
前記トレッドミルフレームが前記キャリッジ及び前記座席に対して回転され且つ折り畳まれるとき、前記トレッドミルの重心を下げるよう且つ前記レッドミルが落ちてしまうことから防ぐよう、前記キャリッジは前記座席に折り畳み可能且つ係合可能である、
折り畳み可能なトレッドミル。
【請求項２】
前記トレッドミルフレームを前記キャリッジに選択的に掛け金をかけ、且つ前記トレッドミルフレームを前記キャリッジに上方に直立する位置及び折り畳まれる位置で安定して支持する、ばねバイアス式ラッチを更に含み、
該ばねバイアス式ラッチは、前記トレッドミルフレームに配置され且つバイアスされて選択的に前記キャリッジと係合し、
前記トレッドミルフレームは、前記ばねバイアス式ラッチを受容するための中空空間を有するビームを含み、
前記トレッドミルフレームは前記ビームに配置されるブラケットを含み、
前記ばねバイアス式ラッチは当該ブラケットに配置され、
前記トレッドミルフレームは、前記ばねバイアス式ラッチを前記キャリッジから離すよう前記ばねバイアス式ラッチに結合された握りを含む、
請求項１記載の折り畳み可能なトレッドミル。
【請求項３】
前記２つの部分のトレッドベースは、前記トレッドミルフレームを前記キャリッジに対し上方に直立する位置及び折り畳まれる位置で支持するよう、前記トレッドミルフレームと前記キャリッジとの間に結合された少なくとも１つの支持装置を含む、
請求項１記載の折り畳み可能なトレッドミル。
【請求項４】
前記座席に対して前記キャリッジを回転させる回転手段を更に含み、
該回転手段は、
前記座席に回転可能に配置された電動ねじ切部材と、
当該ねじ切部材が前記座席に対して回転されるとき、当該ねじ切部材にねじを切られ且つ当該ねじ切部材に沿って移動可能且つ調節可能なフォロアと、
前記キャリッジと前記フォロアとの間に結合されたスタンドとを含み、
該スタンドは、前記スタンドを誘導して前記座席に対して移動するよう、前記座席と滑動可能に係合する少なくとも１つのローラを含み、
前記座席は、前記スタンドの前記少なくとも１つのローラを滑動可能に受容する口径を有する少なくとも１つのチューブを含み、
前記座席は、前記少なくとも１つのチューブに形成され且つ前記少なくとも１つのチューブの前記口径と連絡するチャネルを含み、
前記スタンドはパネルを含み、
前記少なくとも１つのローラは前記パネルに枢着ピンで枢着可能に取り付けられ、且つ当該枢着ピンは、前記少なくとも１つのチューブの前記チャネルに滑動可能に係合される、
請求項１記載の折り畳み可能なトレッドミル。
【請求項５】
前記２つの部分のトレッドベースは、前記キャリッジと前記トレッドミルフレームとの間の相対的な角度位置を検出する検出装置を含み、該検出装置は、前記キャリッジに取り付けられ、且つ
作動装置が前記トレッドミルフレームに取り付けられ且つ前記トレッドミルフレームと協調して移動され、且つ前記作動装置は、前記トレッドミルフレームを前記キャリッジに対して回転させることによって、前記キャリッジ及び前記検出装置に対して回転可能であり、
ねじ切部材が前記座席に回転可能に配置され、
フォロアが前記ねじ切部材上にねじを切られ且つ前記キャリッジに結合され、前記ねじ切部材が前記座席に対して回転されるとき、前記フォロアは前記ねじ切部材に沿って移動可能且つ調節可能であり、且つ
モータが、前記ねじ切部材を回転させるよう前記ねじ切部材に結合され、且つ前記作動装置は前記モータを作動させるよう前記モータに結合される、
請求項１記載の折り畳み可能なトレッドミル。
【考案の詳細な説明】
【技術分野】
【０００１】
本考案は、折り畳み可能なトレッドミルに係り、より詳細には、改良された構造を有する折り畳み可能なトレッドミルであり、それによりトレッドミルが、上方に直立するか又は折り畳まれる位置へと容易に折り畳まれ、且つ下方に水平な動作位置に容易に折り畳まれることを可能にする。
【背景技術】
【０００２】
典型的な折り畳み可能なトレッドミルは、座席から上方に伸びるか又は座席上に縦に支持されるハンドル装置と、トレッドベースとを備え、トレッドベースは、座席又はハンドル装置に枢着可能に取り付けられた前方部分を有し、それにより上方に直立するか又は折り畳まれる位置と下方に水平な動作位置との間で座席又はハンドル装置に対してトレッドベースが回転されるか又は折り畳まれることを可能にする。
【０００３】
たとえば、Clem他に付与された米国特許第６，０１５，３６８号は、典型的な折り畳み可能なトレッドミルの１つを開示している。当該トレッドミルはまた、キャリッジに枢着可能に又は回転可能に取り付けられた前方部分を有するトレッドミルフレーム、及びつり上げ及び電動構造を備える。つり上げ及び電動構造は、上方に直立するか又は折り畳まれる位置と下方に水平な動作位置との間でキャリッジに対してトレッドミルフレームを回転させるか又は折り畳むよう、トレッドミルフレームとキャリッジとの間に結合される。
【０００４】
しかしながら、トレッドミルフレームは、長い一体式構造を含む。長い一体式構造は、電動つり上げ構造がキャリッジに対してトレッドミルフレームを回転させるか又は折り畳むために、より多くの又は大量のエネルギーを消費しなければならない。加えて、トレッドミルフレームがキャリッジに対して回転されるか又は折り畳まれるとき、トレッドミルが不安定になって、落ちてしまう可能性が高くなり得るほどに、トレッドミルの重心がキャリッジからオフセットになる。
【０００５】
Linに付与された米国特許第６，８１１，５１８号は、別の典型的な折り畳み可能なトレッドミルを開示している。このトレッドミルもまた、座席に枢着可能に又は回転可能に取り付けられた前方部分を有するトレッドベース、及びトレッドベースと座席との間に結合され、トレッドベースを座席に対して回転させ又は折り畳む動力駆動装置を備える。
【０００６】
しかしながら、同様に、このトレッドベースもまた、長い一体式構造を有し、動力駆動装置もまた、トレッドベースを座席に対して回転させるか又は折り畳むためにより多くの又は大量のエネルギーを消費しなければならない。加えて、トレッドベースが座席に対して回転されるか又は折り畳まれるとき、トレッドミルが不安定になって、落ちてしまう可能性が高くなり得るほどに、トレッドミルの重心が座席からオフセットになる。
【０００７】
本考案は、従来の折り畳み可能なトレッドミルについて前述した不都合を、軽減且つ／又は除去するために生まれた。
【考案の開示】
【考案が解決しようとする課題】
【０００８】
本考案は、トレッドミルが、上方に直立するか又は折り畳まれる位置に容易に折り畳まれ、且つ下方に水平な動作位置に容易に折り畳まれることを可能にするような構造を含む、折り畳み可能なトレッドミルを提供することを主な目的とする。
【０００９】
本考案は別に、折り畳み可能な２つの部分のトレッドベースを含む折り畳み可能なトレッドミルを提供することを目的とする。それにより、トレッドミルの重心が、座席からオフセットになることから防ぎ、且つそれによりトレッドミルが安定した構造に保持され又は維持されて、トレッドベースが座席に対して回転されるか又は折り畳まれるときに落ちてしまうことから防ぐことが可能になる。
【課題を解決するための手段】
【００１０】
本考案は、
折り畳み可能なトレッドミルであって：
座席と、
キャリッジが座席に対して枢着車軸とともに回転されることを可能するよう、当該座席に当該枢着車軸で枢着可能に取り付けられた前記の前方のキャリッジを含み、且つトレッドミルフレームが当該キャリッジに対して回転され且つ折り畳まれることを可能にするよう、当該キャリッジに枢着可能に固定された前記の後方のトレッドミルフレームを含む、２つの部分のトレッドベースと、
を有し、
前記トレッドミルフレームが前記キャリッジ及び前記座席に対して回転され且つ折り畳まれるとき、前記トレッドミルの重心を下げるよう且つ前記レッドミルが落ちてしまうことから防ぐよう、前記キャリッジは前記座席に折り畳み可能且つ係合可能である、
折り畳み可能なトレッドミル
を提供する。
【００１１】
本考案の更なる目的及び利点は、添付の図面を適切に参照するとともに、以下に記載の詳細な説明を熟読することで明らかになろう。
【考案を実施するための最良の形態】
【００１２】
図面を参照し、最初に図１及び図２を参照すると、本考案による折り畳み可能なトレッドミル１は、座席１０を備える。座席１０は、座席１０の前方部分１２から上方に伸びた１つ又は複数、たとえば２つ等の耳１１を含み、且つ２つのサイドチューブ１３を含み、後方の節１４が、サイドチューブ１３の後方部分間に結合され又は固定され、各サイドチューブ１３は、その中に形成された口径１５を含み、チャネル１６が、各サイドチューブ１３の内部に形成され且つサイドチューブ１３（図１）夫々の口径１５と連絡する。
【００１３】
ボルト又はねじ切部材２０が、座席１０の中央部分に回転可能に配置され又は支持され又は係合されて、サイドチューブ１３間にサイドチューブ１３と平行して配置される。モータ２１もまた、座席１０に取り付けられて種々の典型的な結合機構（図示せず）でねじ切部材２０へ結合される。典型的な結合機構とは、たとえばプーリ・ベルト、スプロケット・チェーン、歯車結合、又はねじ切部材２０がモータ２１によって回転されるか又は駆動されることを可能にするような他の結合機構等である。ねじ切部材２０が、モータ２１によって回転されるか又は駆動されるとき、ナット又はフォロア２２が、ねじ切部材２０上にねじを切られ（threaded onto）、且つねじ切部材２０に沿って移動可能又は調節可能である。
【００１４】
２つの部分を有するトレッドベース３は、前方のキャリッジ３０及び後方のトレッドミルフレーム４０を含む。前方のキャリッジ３０及び後方のトレッドミルフレーム４０は、枢着可能に又は折り畳み可能に一緒に固定され、それによりキャリッジ３０及びトレッドミルフレーム４０が、互いに対して枢着されるか又は回転されるか又は折り畳まれる（図３〜図５）ことが可能になる。キャリッジ３０は、前方部分３１を含む。前方部分３１は、前方部分１２又は座席１０の耳１１に、たとえば枢着車軸１８等で、枢着可能に若しくは回転可能に取り付けられるか又は結合される。それにより、キャリッジ３０が座席１０に対して枢着車軸１８で回転されることを可能にする。このことは、図２〜図５に最も良く示される。キャリッジ３０は、キャリッジ３０の後方部分３２から下方に且つ後方に伸びた、１つ又は複数、たとえば２つ等のバー３３を含む。
【００１５】
トレッドミルフレーム４０は、前方部分４１を含み、前方部分４１は、キャリッジ３０の後方部分３２に、たとえば枢着軸３６等で枢着可能に若しくは回転可能に取り付けられるか又は結合される。それにより、トレッドミルフレーム４０がキャリッジ３０に対して枢着軸３６とともに回転されることが可能になり、トレッドミルフレーム４０が、キャリッジ３０に対して上方の折り畳み位置（図５）と下方動作位置（図２）との間で回転されることが可能になり、且つトレッドミルフレーム４０が、キャリッジ３０に対して異なった角度位置（図３〜図４）に回転され又は調節されることが可能になる。
【００１６】
トレッドミルフレーム４０は、２つのサイドビーム４２を含み、サイドビーム４２のうち１つは、その中に形成された中空空間４３（図１）を含み、中空空間４３は、その中に制御装置７０を受容する。トレッドミルフレーム４０は更に、トレッドミルフレーム４０上の利用者を支持するために、その上に設けられた典型的なデッキ及び典型的なエンドレスベルト（図示せず）を含む。キャリッジ３０は更に、キャリッジ３０の後方部分３２の一方の側部から伸びるか又は後方部分３２の一方の側部に取りつけられたフラップ３４、及び固着又は位置決め用途のためにフラップ３４に形成された切欠３５を含み、このことについて以下に説明する。
【００１７】
ピボットスタンド５０が、たとえばピボットロッド３８等で、キャリッジ３０の後方部分３２に枢着可能に若しくは回転可能に取り付けられるか又は結合され、それにより、スタンド５０が、キャリッジ３０に対してピボットロッド３８とともに回転されることが可能になる。たとえば、スタンド５０は、キャリッジ３０の後方部分３２にピボットロッド３８で枢着可能に又は回転可能に取りつける２つのサイドパネル５２を有するアーム５１、及びフォロア２２に１つ又は複数のファスナー５４で枢着可能に又は回転可能に取りつけられた１つ又は複数、たとえば２つ等の、中央部分から伸びたリム５３を含む。それにより、キャリッジ３０及びしたがってトレッドミルフレーム４０が、モータ駆動のねじ切部材２０及びフォロア２２（図２〜図３）によって、座席１０に対して異なった角度位置に回転され又は調節されることが可能になる。
【００１８】
操作中、図２〜図５に示されるように、フォロア２２は、ねじ切部材２０がモータ２１によって回転され又は駆動されるとき、ねじ切部材２０に対して又はねじ切部材２０に沿って移動され又は調節されてもよく、キャリッジ３０及びトレッドミルフレーム４０は、ねじ切部材２０に対して又はねじ切部材２０に沿ってフォロア２２が移動され又は調節されるとき、スタンド５０及びフォロア２２によって、座席１０に対して、異なった角度位置に回転され又は調節されてもよい。それにより、トレッドミルフレーム４０が、利用者のニーズに応じて、座席１０に対して異なった角度位置に回転され又は調節されることが可能になる。したがって、ねじ切部材２０及びモータ２１及び／又はスタンド５０は、座席１０に対してキャリッジ３０を回転させる回転手段として用いられるか又は作用することができる。
【００１９】
トレッドミルフレーム４０は、後方部分４５に取り付けられ、座席１０に対するトレッドミルフレーム４０の移動又は調節を促進する、１つ又は複数の車輪４４を含むことが好ましい。スタンド５０が、１つ又は複数、たとえば２つ等の車輪又はローラ５５を含むこともまた望ましい。車輪又はローラ５５は、たとえば枢着ピン５６等でサイドパネル５２に夫々枢着可能に又は回転可能に取り付けられ、且つ座席１０のサイドチューブ１３の夫々の口径１５に回転可能に又は滑動可能に受容されるか又は係合される。それにより、スタンド５０を誘導して座席１０に対して移動させ、且つ座席１０に対してスタンド５０の滑り移動を促進する。枢着ピン５６は、夫々サイドチューブ１３のチャネル１６に滑動可能に係合される。
【００２０】
図１及び図６〜図７に示されるように、回路基板６０が、１つ又は複数のファスナー６１で、フラップ３４又はキャリッジ３０の後方部分３２に取り付けられるか又は固定される。感知装置若しくは検出装置又は検出器６２が、回路基板６０に取り付けられ、モータ２１及び／又はトレッドミル1の典型的なプロセッサ若しくは制御装置（図示せず）に、たとえばモータ２１を制御若しくは作動させる電線若しくはケーブル６３等で結合される。感知装置又は検出装置６２は、典型的な赤外線検出装置６２等から選択されてもよい。赤外線検出装置６２は、たとえば赤外線等を生成し且つ／又は受容し、キャリッジ３０とトレッドミルフレーム４０との間の相対的な角度位置を検出する。
【００２１】
作動装置６４が、トレッドミルフレーム４０の前方部分４１へ取り付けられるか又は固定され、且つ作動装置６４が、フラップ３４、キャリッジ３０、感知装置又は検出装置６２及び回路基板６０に対して回転可能又は移動可能であるように、トレッドミルフレーム４０と協調して移動される。作動装置６４は、反射領域又は印がつけられていない領域６５を含む。反射領域又は印がつけられていない領域６５は、たとえば検出装置６２によって生成された赤外線の反射等をし、且つモータ２１が作動されることから防ぐ。作動装置６４は更に、無反射領域又は印のつけられた領域６６を含む。無反射領域又は印のつけられた領域６６は、たとえば検出装置６２によって生成された赤外線の吸収又は散逸等をし、且つモータ２１が作動されるか又は操作されることを可能にする。
【００２２】
検出装置６２（図６）を遮蔽するか又は遮断するために、作動装置６４の無反射領域又は印のつけられた領域６６は、トレッドミルフレーム４０によって、感知装置又は検出装置６２に対して回転されるか又は移動されてもよく、それによりモータ２１を作動させるか又は操作させ、次に、キャリッジ３０を座席１０に対して異なった角度位置に回転させるか又は調節させるために、ねじ切部材２０に沿ってフォロア２２を移動させるか又は調節させてもよい。たとえば、キャリッジ３０及びトレッドミルフレーム４０が、座席１０に対して図３に示されるような傾斜位置へ回転され又は調節された後、トレッドミルフレーム４０は、利用者によって、キャリッジ３０に対して持ち上げられるか又は折り畳まれるか又は回転されてもよい。
【００２３】
操作中、トレッドミル１を折り畳む必要があるとき、トレッドミルフレーム４０は、利用者によって、キャリッジ３０に対して図３〜図４に示される位置から持ち上げられるか又は折り畳まれるか又は回転されてもよく、作動装置６４の無反射領域又は印のつけられた領域６６は、回転されるか又は移動されて感知装置又は検出装置６２（図４及び図６）をトレッドミルフレーム４０によって遮蔽又は遮断してもよい。それにより、モータ２１が操作されて、フォロア２２がねじ切部材２０に沿って作動又は移動又は調節されることが可能になる。このことは、たとえば図４〜図５に示されるような位置から、キャリッジ３０を座席１０の下方へと回転又は調節するためであり、且つそれによりトレッドミルフレーム４０が、利用者によって、キャリッジ３０に対して図５に示される直立した折り畳み位置へと更に上方に折り畳まれるか又は回転されることが可能になる。
【００２４】
１つ又は複数、たとえば２つ等の支持装置４６、及びたとえば空気式若しくは水力式作動器又はシリンダ４６等が、キャリッジ３０に対して直立した折り畳み位置でトレッドミルフレーム４０を支持するよう、トレッドミルフレーム４０とキャリッジ３０との間に更に設けられ且つ取り付けられ又は結合されてもよい。好ましくは、支持装置又は作動器又はシリンダ４６が配列されて、利用者によって、トレッドミルフレーム４０が、キャリッジ３０に対して容易に折り畳まれるか若しくは回転されることが可能になってもよく、又は支持装置４６によって干渉されることで、キャリッジ３０に対するトレッドミルフレーム４０の上方への折り畳み若しくは回転移動を防ぎ、且つ支持装置４６が、トレッドミルフレーム４０を、キャリッジ３０に対して直立した折り畳み位置で支持することを可能にする。
【００２５】
制御装置７０が、サイドビーム４２のうち１つの中空空間４３に係合され、ラッチ又はばねバイアス式ラッチ７１を含み、ラッチ若しくはばねバイアス式ラッチ７１は、たとえばブラケット４７に滑動可能に係合される等、サイドビーム４２に滑動可能に取り付けられるか又は係合され、ブラケット４７は、サイドビーム４２の前方部分４１に配置されるか又は係合され、ばね部材７２が、ラッチ７１とブラケット４７又はサイドビーム４２との間に係合されてもよく、ラッチ７１をバイアスしてフラップ３４の切欠３５又はキャリッジ３０（図５）の切欠３５内に選択的に係合するようにし、且つトレッドミルフレーム４０をキャリッジ３０に対して直立した折り畳み位置で更に強固に若しくは安定して支持し又は固定し又は掛け金をかける。
【００２６】
制御装置７０は更に、サイドビーム４２に滑動可能に取り付けられたか又は係合されたポール７３を含み、ポール７３は、たとえば別のブラケット４８に滑動可能に係合される等をし、別のブラケット４８は、サイドビーム４２の後方部分４５に配置されるか又は係合され、ポール７２が、ラッチ７１に結合ケーブル又は結合部材７４で結合され、更なるばね部材７２が、ポール７２とブラケット４８又はサイドビーム４２との間に係合されてもよく、更にラッチ７１をバイアスしてフラップ３４の切欠３５又はキャリッジ３０の切欠３５に選択的に係合するようにする。ノブ又は握り７６が、サイドビーム４２から延出するポール７２の外端部に枢着可能に結合されてもよく、それによりフラップ３４の切欠３５又はキャリッジ３０切欠３５からラッチ７１を選択的に引き且つクラッチを切り、並びにそれによりトレッドミルフレーム４０が、利用者によって、キャリッジ３０に対して下方に水平な動作位置へと回転され又は下方に折り畳まれることが可能になる。
【００２７】
２つの部分を有するトレッドベース３は、前方のキャリッジ３０に枢着可能に又は折り畳み可能に固定された後方のトレッドミルフレーム４０を含み、それによりトレッドミルフレーム４０が、キャリッジ３０に対して枢着されるか又は回転されるか又は折り畳まれることが可能になり、且つキャリッジ３０が、座席１０に対して回転されるか又は折り畳まれることから防ぐようにすることに留意されたい。２つの部分を有するトレッドベース３全体を、座席１０に対して回転させるか又は折り畳む必要はない。キャリッジ３０の座席１０（図５）との係合は、トレッドミル１の重心を下げるか又はトレッドミル１の重心が、座席１０からオフセットにならないよう防いでもよく、且つしたがって、トレッドミルフレーム４０が、キャリッジ３０及び座席１０に対して回転されるか又は折り畳まれるとき、トレッドミル１が落ちないよう防ぐことができる。
【００２８】
したがって、折り畳み可能なトレッドミルは、トレッドミルが、上方に直立する位置に容易に折り畳まれ且つ下方に水平な動作位置に容易に折り畳まれることを可能にする構造を含み、且つトレッドミルの重心が、座席からオフセットになることから防ぐよう互いに対して折り畳み可能な２つの部分を有するトレッドベースを含み、それにより、トレッドミルを安定した構造に保持するか又は維持し、且つトレッドベースが座席に対して回転されるか又は折り畳まれるときに落ちてしまうことから防ぐことが可能になる。
【図面の簡単な説明】
【００２９】
【図１】本考案による、折り畳み可能なトレッドミルの部分分解図である。
【図２】折り畳み可能なトレッドミルの部分側面を示す概略図である。
【図３】折り畳み可能なトレッドミルの折り畳み操作を示した、図２と同様の部分側面を示す概略図である。
【図４】折り畳み可能なトレッドミルの折り畳み操作を示した、図２と同様の部分側面を示す概略図である。
【図５】折り畳み可能なトレッドミルの折り畳み操作を示した、図２と同様の部分側面を示す概略図である。
【図６】折り畳み可能なトレッドミルの感知装置又は検出装置を示した、拡大された部分側面を示す概略図である。
【図７】折り畳み可能なトレッドミルの感知装置又は検出装置を示した、更なる拡大された部分側面を示す概略図である。
【符号の説明】
【００３０】
１      折り畳み可能なトレッドミル
３      トレッドベース
１０    座席
１１    耳
１２    座席１０の前方部分１２
１３    サイドチューブ１３
１４    後方の節
１５    口径
１６    チャネル
１８    枢着車軸
２０    ねじ切部材
２１    モータ
２２    フォロア
３０    キャリッジ
３１    キャリッジ３０の前方部分
３２    キャリッジ３０の後方部分
３３    バー
３４    フラップ
３５    切欠
３６    枢着軸
３８    ピボットロッド
４０    トレッドミルフレーム
４１    トレッドミルフレーム４０の前方部分
４２    サイドビーム
４３    中空空間
４４    車輪
４５    トレッドミルフレーム４０の後方部分
４６    支持装置
４７    ブラケット
４８    別のブラケット
５０    スタンド
５１    アーム
５２    サイドパネル
５３    リム
５４    ファスナー
５５    ローラ
５６    枢着ピン
６０    回路基板
６１    ファスナー
６２    検出器
６３    ケーブル
６４    作動装置
６５    反射領域又は印がつけられていない領域
６６    無反射領域又は印のつけられた領域
７０    制御装置
７１    ラッチ若しくはばねバイアス式ラッチ７１
７２    ばね部材
７３    ポール
７４    結合ケーブル又は部材
【図１】
0003125926.tif 000003
【図２】
0003125926.tif 000004
【図３】
0003125926.tif 000005
【図４】
0003125926.tif 000006
【図５】
0003125926.tif 000007
【図６】
0003125926.tif 000008
【図７】
0003125926.tif 000009